(57)【要約】デジタル権利管理（ＤＲＭ）を用いる、オーディオまたはビデオライセンスを複数のコンテンツプレーヤの間で移送するコンテンツ配布システムが開示される。該システムは少なくとも第２ライセンスリポジトリと認証エンジンとを含む。第２ライセンスリポジトリは、第２の複数のコンテンツライセンスを記述する第２の情報を受信する。第１ライセンスリポジトリは、第１の複数のコンテンツリポジトリを格納する。第１の複数のコンテンツライセンスは、ＤＲＭの範囲内で第１コンテンツプレーヤを用いる複数のコンテンツオブジェクトの使用を可能にする。第２ライセンスリポジトリは、第１ライセンスリポジトリから地理的に離れている。認証エンジンは、第２ライセンスリポジトリの第２の複数のコンテンツライセンスを承認する。第２の複数のコンテンツライセンスは、ＤＲＭの範囲内で第２コンテンツプレーヤを用いる複数のコンテンツオブジェクトの使用を可能にする。
2008537812.tif 000002
【特許請求の範囲】
【請求項１】
デジタル権利管理（ＤＲＭ）を用いる複数のコンテンツプレーヤの間でオーディオまたはビデオライセンスを移送するコンテンツ配布システムであって、該コンテンツ配布システムは、
第２の複数のコンテンツライセンスを記述する第２の情報を受信する第２のライセンスリポジトリと、
認証エンジンと
を備えており、
第１のライセンスリポジトリは、第１の複数のコンテンツライセンスを格納し、
該第１の複数のコンテンツライセンスは、ＤＲＭの範囲内で、第１のコンテンツプレーヤでの複数のコンテンツオブジェクトの使用を可能にし、
該第２のライセンスリポジトリは、該第１のライセンスリポジトリから地理的に離れており、
該認証エンジンは、
該第２のライセンスリポジトリの該第２の複数のコンテンツライセンスを承認し、
該第２の複数のコンテンツライセンスは、ＤＲＭの範囲内で、第２のコンテンツプレーヤを用いる該複数のコンテンツオブジェクトの使用を可能にする、
コンテンツ配布システム。
【請求項２】
前記第１の複数のコンテンツライセンスは、第１のＤＲＭに従い、
前記第２の複数のコンテンツライセンスは、第２のＤＲＭに従い、
該第１のＤＲＭは、該第２のＤＲＭとは異なる、請求項１に記載の、ＤＲＭを用いる複数のコンテンツプレーヤの間でオーディオまたはビデオライセンスを移送するコンテンツ配布システム。
【請求項３】
コンテンツオリジネータは、前記第２のライセンスリポジトリに前記第２の複数のコンテンツライセンスを提供する、請求項１に記載の、ＤＲＭを用いる複数のコンテンツプレーヤの間でオーディオまたはビデオライセンスを移送するコンテンツ配布システム。
【請求項４】
前記第２の複数のコンテンツライセンスは、
前記複数のコンテンツオブジェクトを識別し、
該複数のコンテンツオブジェクトに対するライセンスの範囲を特定する、請求項１に記載のＤＲＭを用いる複数のコンテンツプレーヤの間でオーディオまたはビデオライセンスを移送するコンテンツ配布システム。
【請求項５】
コンテンツ移動システムは、前記認証エンジンを含み、前記第２のライセンスリポジトリに前記第２の複数のコンテンツライセンスを提供する、請求項１に記載の、ＤＲＭを用いる複数のコンテンツプレーヤの間でオーディオまたはビデオライセンスを移送するコンテンツ配布システム。
【請求項６】
前記複数のコンテンツオブジェクトは、前記第１の複数のコンテンツライセンスに対しては第１のコーデックで符号化され、
該複数のコンテンツオブジェクトは、前記第２の複数のコンテンツライセンスに対しては第２のコーデックで符号化され、
該第１のコーデックは、該第２のコーデックとは異なる、請求項１に記載のＤＲＭを用いる複数のコンテンツプレーヤの間でオーディオまたはビデオライセンスを移送するコンテンツ配布システム。
【請求項７】
前記複数のコンテンツオブジェクトのフォーマットを変換することにより、該複数のコンテンツオブジェクトを前記第２のコンテンツプレーヤと互換性を持つようにするコンテンツトランスコーダを備える、請求項１に記載の、ＤＲＭを用いる複数のコンテンツプレーヤの間でオーディオまたはビデオライセンスを移送するコンテンツ配布システム。
【請求項８】
前記第２のライセンスリポジトリは、前記第２のコンテンツプレーヤから地理的に離れている、請求項１に記載のＤＲＭを用いる複数のコンテンツプレーヤの間でオーディオまたはビデオライセンスを移送するコンテンツ配布システム。
【請求項９】
前記第２のライセンスリポジトリは、前記第２のコンテンツプレーヤと並べて配置されている、請求項１に記載の、ＤＲＭを用いるコンテンツプレーヤの間でオーディオまたはビデオライセンスを移送するコンテンツ配布システム。
【請求項１０】
第１のコンテンツプレーヤから第２のコンテンツプレーヤにコンテンツライセンスを移送する方法であって、該方法は、
該第１のコンテンツプレーヤの第１のリポジトリから複数のコンテンツライセンスを読み取るステップであって、該複数のコンテンツライセンスは、ＤＲＭの範囲内での複数のコンテンツオブジェクトの使用を可能にし、該複数のコンテンツライセンスは、複数のライセンサーと関連付けられる、ステップと、
該複数のコンテンツライセンスをストアに送信するステップであって、該ストアは、該第１のリポジトリから地理的に遠方にある、ステップと、
該複数のコンテンツライセンスのライセンス取得者の認証情報を送信するステップと、
該複数のコンテンツライセンスを該第２のコンテンツプレーヤの第２のリポジトリに書き込むステップであって、該第２のコンテンツプレーヤは、ＤＲＭの範囲内で、該複数のコンテンツオブジェクトを用いることができる、ステップと
を包含する、方法。
【請求項１１】
前記複数のコンテンツライセンスを前記ストアに送信する前記ステップの前に、該複数のコンテンツライセンスを暗号化するステップをさらに包含する、請求項１０に記載の、前記第１のコンテンツプレーヤから前記第２のコンテンツプレーヤにコンテンツライセンスを移送する方法。
【請求項１２】
前記複数のコンテンツオブジェクトを前記第２のコンテンツプレーヤと互換性のあるフォーマットにトランスコードするステップをさらに包含する、請求項１０に記載の、前記第１のコンテンツプレーヤから前記第２のコンテンツプレーヤにコンテンツライセンスを移送する方法。
【請求項１３】
前記第２のコンテンツプレーヤのユーザのアイデンティティを認証するステップをさらに包含する、請求項１０に記載の、前記第１のコンテンツプレーヤから前記第２のコンテンツプレーヤにコンテンツライセンスを移送する方法。
【請求項１４】
前記複数のコンテンツライセンスは、前記第１のコンテンツプレーヤに対しては第１のＤＲＭに従い、
前記複数のコンテンツライセンスは、前記第２のコンテンツプレーヤに対しては第２のＤＲＭに従い、
該第１のＤＲＭは、該第２のＤＲＭとは異なる、請求項１０に記載の、前記第１のコンテンツプレーヤから前記第２のコンテンツプレーヤにコンテンツライセンスを移送する方法。
【請求項１５】
前記複数のコンテンツライセンスは、
前記複数のコンテンツオブジェクトを識別し、
該複数のコンテンツオブジェクトに対するライセンスの範囲を特定する、請求項１０に記載の、前記第１のコンテンツプレーヤから前記第２のコンテンツプレーヤにコンテンツライセンスを移送する方法。
【請求項１６】
請求項１０に記載の、前記第１のコンテンツプレーヤから前記第２のコンテンツプレーヤにコンテンツライセンスを移送する機械実装可能な方法を行う機械実行可能な命令を有する、機械読取り可能な媒体。
【請求項１７】
請求項１０に記載の、前記第１のコンテンツプレーヤから前記第２のコンテンツプレーヤにコンテンツライセンスを移送する、機械実装可能な方法を行うように構成された、機械。
【請求項１８】
複数のコンテンツプレーヤの間でオーディオまたはビデオライセンスを移送する方法であって、該方法は、
一つの地点における第１の複数のコンテンツライセンスを記述する第１の情報を受信するステップであって、
第１のリポジトリが該第１の複数のコンテンツライセンスを格納し、該第１の複数のコンテンツライセンスは、ＤＲＭによって許可されたように、第１のコンテンツプレーヤ上の複数のコンテンツオブジェクトの使用を可能にし、
該地点は、該第１のリポジトリに対して地理的に遠方にある、ステップと、
該第１の複数のコンテンツライセンスのライセンス取得者を認証するステップと、
該地点から離れている該第１の複数のコンテンツライセンスに対応する第２の複数のコンテンツライセンスを可能にする第２の情報を送信するステップであって、
該第２の複数のコンテンツライセンスは、第２のコンテンツプレーヤの第２のリポジトリとともに格納されており、
該第２の複数のコンテンツライセンスは、ＤＲＭによって許可された、該第２のコンテンツプレーヤでの該複数のコンテンツオブジェクトの使用を可能にする、ステップと
を包含する、方法。
【請求項１９】
前記第１の複数のコンテンツライセンスを前記第２の複数のコンテンツライセンスに翻訳するステップをさらに包含する、請求項１８に記載の複数のコンテンツプレーヤの間でオーディオまたはビデオライセンスを移送する方法。
【請求項２０】
前記複数のコンテンツオブジェクトを前記第２のコンテンツプレーヤと互換性のあるフォーマットにトランスコードするステップをさらに包含する、請求項１８に記載の複数のコンテンツプレーヤの間でオーディオまたはビデオライセンスを移送する方法。
【請求項２１】
前記認証ステップは、前記第１の複数のコンテンツライセンスを、元々該第１の複数のコンテンツライセンスを認可したコンテンツオリジネータとともに認証するステップをさらに包含する、請求項１８に記載の、複数のコンテンツプレーヤの間でオーディオまたはビデオライセンスを移送する方法。
【請求項２２】
前記認証ステップは、前記第２のコンテンツプレーヤのユーザのアイデンティティを認証するステップをさらに包含する、請求項１８に記載の、複数のコンテンツプレーヤの間でオーディオまたはビデオライセンスを移送する方法。
【請求項２３】
前記第１の複数のコンテンツライセンスは、第１のＤＲＭに従い、
前記第２の複数のコンテンツライセンスは、第２のＤＲＭに従い、
該第１のＤＲＭは、該第２のＤＲＭとは異なる、請求項１８に記載の、複数のコンテンツプレーヤの間でオーディオまたはビデオライセンスを移送する方法。
【請求項２４】
前記第２の複数のコンテンツライセンスは、
前記複数のコンテンツオブジェクトを識別し、
該複数のコンテンツオブジェクトに対するライセンスの範囲を特定する、請求項１８に記載の、複数のコンテンツプレーヤの間でオーディオまたはビデオライセンスを移送する方法。
【請求項２５】
請求項１８に記載の複数のコンテンツプレーヤの間でオーディオまたはビデオライセンスを移送する機械実装可能な方法を行う機械実行可能な命令を有する、機械読取り可能な媒体。
【請求項２６】
請求項１８に記載の複数のコンテンツプレーヤの間でオーディオまたはビデオライセンスを移送する、機械実装可能な方法を行うように構成された、機械。
【発明の詳細な説明】
【技術分野】
【０００１】
本出願は、２００５年３月１５日出願の米国特許仮出願第６０／６６２８０７号の利益を主張するものであって、その非仮出願であり、該仮出願は、全ての目的のために、そのまま本明細書中に参照として明示的に援用される。
【背景技術】
【０００２】
本開示は、概してオーディオおよびビデオのライセンシングに関連し、限定するものとしてではなく、許可されたオーディオおよびビデオを新たなコンピューティングデバイスに移動することに関連する。
【０００３】
今日、インターネットからダウンロードされた、または他のソースを介して取得されたオーディオおよびビデオをプレイするソフトウェアプレーヤが存在する。デジタル権利管理（ＤＲＭ）を利用できること、ダウンロード可能な形式のオーディオおよびビデオに許可を与えるこの新たなパラダイムに、著作権の保持者をより満足させる。様々なソフトウェアプレーヤが、様々な互換性のないＤＲＭを用い、このＤＲＭは消費者による選定を減速させる。
【０００４】
一つのダウンロードサービスから歌をダウンロードする消費者は、対応する専有のプレーヤで歌をプレイしなくてはならない。対応する専有のプレーヤによって用いられるＤＲＭは、消費者をそのプレーヤと結び付ける。別のプレーヤは、ＤＲＭがその使用を偶然にも防止するので、歌をプレイすることはあり得ない。それは、新たなプレーヤによって用いられるＤＲＭと互換性がないからである。例えば、消費者は、自分たちのｉＴｕｎｅｓＴＭプレーヤのために、ＡｐｐｌｅＴＭミュージックストアから歌をダウンロードし得る。後に、消費者がＲｈａｐｓｏｄｙＴＭＪｕｋｅｂｏｘの使用を始めることを決定した場合には、歌はプレイされない。消費者は、いずれのプレーヤでも歌を利用するための権利がほぼ間違いなくあるにもかかわらず、同じ歌を再び購入せざるを得ない。
【０００５】
歌からＤＲＭの機能を抑止する、または除去するプログラムが存在し、これによって、歌はほとんどのプレーヤで用いられ得る。一部のものは、このタイプのソフトウェアは違法であり、米国におけるデジタルミレニアム著作権法（ＤＭＣＡ）または一部の他の法律に違反するという立場を取る。さらには、一つのコードを別のものにトランスコードするプログラムがある。これらのプログラムは、専有のフォーマットであり得る歌を取得し、新たなプレーヤにおいて用いられ得るフォーマットに変換する。ＤＲＭ除去ソフトウェアとトランスコードソフトウェアとの間で、消費者は、自分らの音楽のコレクションを新たなプレーヤに移動させ得る。このプロセスは、複雑であり、一部のものは違法であると言い得る。
【発明の開示】
【課題を解決するための手段】
【０００６】
一実施形態において、本開示は、デジタル権利管理（ＤＲＭ）を用いるコンテンツプレーヤ間のオーディオまたはビデオライセンスを移送するコンテンツ配布システムを提供する。コンテンツ配布システムは、少なくとも第２のライセンスリポジトリと認証エンジンとを含む。第２のライセンスリポジトリは、第２の複数のコンテンツライセンスを記述する第２の情報を受信する。第１のライセンスリポジトリは、第１の複数のコンテンツリポジトリを格納する。第１の複数のコンテンツライセンスは、ＤＲＭの範囲内で、第１のコンテンツプレーヤでの複数のコンテンツオブジェクトの使用を可能にする。第２のライセンスリポジトリは、第１のライセンスリポジトリから地理的に離れている。認証エンジンは、第２ライセンスリポジトリの第２の複数のコンテンツライセンスを承認する。第２の複数のコンテンツライセンスは、ＤＲＭの範囲内で、第２コンテンツプレーヤでの複数のコンテンツオブジェクトの使用を可能にする。
【０００７】
別の実施形態において、本開示は、第１のコンテンツプレーヤから第２のコンテンツプレーヤにコンテンツライセンスを移送する方法を提供する。一ステップにおいて、複数のコンテンツライセンスは、第１のコンテンツプレーヤの第１のリポジトリから読み取られる。複数のコンテンツライセンスは、ＤＲＭの範囲内で、複数のコンテンツオブジェクトの使用を可能にする。複数のコンテンツライセンスは、複数のライセンサーと関連付けられる。複数のコンテンツライセンスは、ストアに送信され、該ストアは、第１のリポジトリから地理的に遠方にある。複数のコンテンツライセンスのライセンス取得者の認証情報が、送信される。複数のコンテンツライセンスは、第２のコンテンツプレーヤの第２のリポジトリに書き込まれる。第２のコンテンツプレーヤは、ＤＲＭの範囲内で複数のコンテンツオブジェクトを使用し得る。
【０００８】
さらに別の実施形態において、本開示は、複数のコンテンツプレーヤの間でオーディオまたはビデオライセンスを移送する方法を提供する。一ステップにおいて、一つの地点で第１の複数のコンテンツライセンスを記述する第１の情報が受信される。第１のリポジトリは、第１の複数のコンテンツライセンスを格納する。第１の複数のコンテンツライセンスは、ＤＲＭによって許可された、第１のコンテンツプレーヤでの複数のコンテンツオブジェクトの使用を可能にする。該地点は、第１のリポジトリから地理的に遠方にある。第１の複数のコンテンツライセンスのライセンス取得者は、認証される。第２の情報が送信され、該第２の情報は、該地点から離れている第１の複数のコンテンツライセンスに対応する第２の複数のコンテンツライセンスを使用可能にするものである。第２の複数のコンテンツライセンスは、第２のコンテンツプレーヤの第２のリポジトリを用いて格納される。第２の複数のコンテンツライセンスは、ＤＲＭによって許可された、第２のコンテンツプレーヤ上の複数のコンテンツオブジェクトの使用を可能にする。
【０００９】
本開示の適用性のさらなるエリアは、下文に提供された詳細な記述から明確になる。該詳細な記述および特定の実施例は、様々な実施形態を示す一方で、例示的な目的のみを意図し、本開示の範囲を必ずしも限定するようには意図されないことが理解されるべきである。
【発明を実施するための最良の形態】
【００１０】
本開示は、添付の図面に従って記述されている。
【００１１】
添付の図面において、同様の構成要素および／または特徴は、同様の参照ラベルを有し得る。さらに、同一タイプの様々な構成要素は、ダッシュを付けた参照ラベルおよび同様の構成要素を区別する第２のラベルによって、区別され得る。明細書中に第１の参照ラベルのみが用いられる場合には、該記述は、第２の参照ラベルとは無関係に、同一の第１の参照ラベルを有する同様の構成要素のうちのどの一つにも適用可能である。
【００１２】
次の記述は、好ましい例示的な実施形態のみを提供し、これは、本開示の範囲、適用性、または構成を限定するものではない。むしろ、好ましい例示的な実施形態の次の記述は、当業者に、好ましい例示的な実施形態を実装可能にする記述を提供する。添付の特許請求の範囲に明示される精神および範囲から逸脱することなく、様々な変更が、要素の機能および構成においてなされ得ることを理解されたい。
【００１３】
利用可能な、多くのコンテンツダウンロードサービスが存在する。ユーザは、享楽のためにコンテンツ（例えば、歌、ソフトウェア、ビデオ、音、本）をコンピューティングデバイス（例えば、パーソナルコンピュータ、携帯電話、音楽プレーヤ、パーソナルビデオレコーダ、セットトップボックス、携帯用ビデオプレーヤ）にダウンロードする。これらのファイルへのアクセスを制御するために、様々な形式のデジタル権利管理（ＤＲＭ）が用いられる。プレーヤハードウェア、ソフトウェアベースのプレーヤ、格納デバイス、および配信回線は、全てがＤＲＭを有し得、アクセスを制御し、著作権ライセンスを守らせる。例えば、ＭｉｃｒｏｓｏｆｔＴＭＷｉｎｄｏｗｓ（登録商標）は、音楽およびビデオのファイルに対するアクセスを制御するＤＲＭを有する。
【００１４】
様々なアプリケーションおよびハードウェアは、異なる方法によってＤＲＭを制御するが、通常は、特定のファイルまたはストリームに対する著作権ライセンスのリストを格納する。識別子コードは、コンテンツオブジェクトに埋め込まれるか、または何らかの方法によってコンテンツオブジェクトと関連付けられる。ＤＲＭアプリケーションプログラムインターフェース（ＡＰＩ）は、著作権ライセンスが利用可能かどうかの決定の際に、コンテンツオブジェクト自体または識別子コードが提供される。概して、著作権ライセンスがない場合には、ＤＲＭは、コンテンツオブジェクトの使用を防止または制限する。コンテンツファイルが利用可能であっても、ＤＲＭは、再生を防止する。
【００１５】
最初に図１Ａを参照すると、コンテンツ配布システム１００−１の実施形態が示される。この実施形態は、二つのコンテンツプロバイダ１０８および二人のユーザ１１２を示すが、任意の数のコンテンツプロバイダ１０８およびユーザ１１２が、様々な実施形態において存在し得ることを理解されたい。ユーザ１１２は、アップグレードプロセスにおいて二つのコンピューティングデバイス１２４を用いて作業をする同一人物であり得る。例えば、ユーザは、第１コンピューティングデバイス１２４−１上に音楽またはビデオを有し得、該音楽またはビデオを第２コンピューティングデバイス１２４−２に使用のために移動させることを望む。移動システム１７８は、様々な構成を有し得ることによって、第２コンピューティングデバイス１２４−２への移動を補助する。
【００１６】
この実施形態は、二つのコンテンツオリジネータ１０２を示すが、任意の数のコンテンツオリジネータが存在し得る。コンテンツオリジネータ１０２は、コンテンツ購読および／またはダウンロードサービスであり得、該ダウンロードサービスは、遠隔コンテンツストア１５６において格納された、所有または使用を許可する権利を有するコンテンツを有する。コンテンツプロバイダ１０８は、コンテンツウェブサイトまたはアプリケーションインターフェース１１６を介してコンテンツオブジェクトにアクセスを付与する。コンテンツオブジェクトに認可されたライセンスは、遠隔ライセンスデータベース１４０に格納される。遠隔ライセンスデータベース１４０は、コンテンツライセンスを、移動の状況における新たなコンピューティングデバイス１２４に提供するように用いられ得る。移動システムは、コンテンツライセンスを新たなコンテンツプレーヤ１２８に渡し得るが、様々な遠隔ライセンスデータベース１４０において、ユーザ１１２のコンテンツオブジェクトに対する有効性を検証し得る。
【００１７】
この実施形態において、コンピューティングデバイス１２４は、コンテンツプレーヤ１２８、ローカルコンテンツストア１６０、ローカルライセンスデータベース１３６、および随意的にコンテンツトランスコーダ１６４を含む。様々な実施形態において、ローカルコンテンツストア１６０およびローカルライセンスデータベース１３６は、一体式および／または内部ストレージ媒体、外部ストレージ媒体および／またはネットワーク化ストレージ媒体を用いて、コンテンツプレーヤ１２８と結合され得る。ユーザ１１２は、コンピューティングデバイス１２４と相互作用することによって、ローカルコンテンツストア１６０に常駐する、および／または遠隔コンテンツオブジェクトストア１５６からストリームされたコンテンツオブジェクトをプレイまたは認識する。
【００１８】
ユーザ１１２は、様々な理由のために、ソフトウェアおよび／またはハードウェアを頻繁にアップグレードする。このプロセスの間に、著作権ライセンスは、従来のシステムにおける互換性および一体化の問題によって失われ得る。図１は、各コンピューティングデバイス１２４に対する一つのみのローカルライセンスデータベース１３６を示すという点において簡略化されているが、各ＤＲＭ技術および／またはプレーヤは、頻繁にそれ自体のローカルライセンスデータベース１３６を維持し、これによって、コンピューティングデバイス１２４は、多くのローカルライセンスデータベース１３６を有し得る。
【００１９】
コンピューティングデバイス１２４におけるローカルライセンスデータベース１６０は、たいていは互いに互換性がなく、これは、コンテンツオブジェクトが、異なるコンテンツプレーヤによって用いられ得る場合も同様である。例えば、ＡｐｐｌｅＴＭｉＴｕｎｅｓＴＭは、ＭｉｃｒｏｓｏｆｔＴＭ  Ｗｉｎｄｏｗｓ（登録商標）Ｍｅｄｉａ  ＰｌａｙｅｒＴＭによって用いられるものとそれと互換性のないＤＲＭを用い、従って、コンテンツライセンスは、二者間において交換され得ず、これは、該プレーヤが、互いのコンテンツを、適切な符号復号器のサポートを用いてプレイし得るとしても然りである。
【００２０】
この実施形態は、コンテンツトランスコーダ１６４および少なくとも一つの遠隔的に位置するライセンスデータベース１５２および１４０を用いることによって、コンテンツオブジェクトおよびコンテンツライセンスを新たなコンピューティングデバイス１２４に移動させる。担保にされたコンテンツオブジェクト（すなわち、ＤＲＭによって保護されたコンテンツファイルまたはストリーム）は、別のコンピューティングデバイス１２４において用いられ得るが、著作権ライセンスは、従来のシステムにおいて、他のコンピューティングデバイス１２４に対するユーザ１１２には従い得ない。例えば、第１の音楽プレーヤは、ＤＲＭが著作権ライセンスを認識するので、コンテンツファイルを認識し得、かつ、プレイングを許可し得るが、第２の音楽プレーヤは、著作権ライセンスを認識可能であることなくコンテンツファイルを認識し得、これによって、アクセスが妨げられる。
【００２１】
本発明の一実施形態は、ユーザ１１２が使用し得る様々なコンピューティングデバイス１２４の間におけるローカルライセンスデータベース１３６の移送を可能にする。ソフトウェアアプリケーション、ソフトウェアアプレットまたはコンテンツプレーヤ自体は、全部または一部のローカルライセンスデータベース１３６をグローバルライセンスデータベース１５２または遠隔ライセンスデータベース１４０に渡し得る。ローカルライセンスデータベース１３６を渡すことは、暗号化を用いることにより情報を保護する一部の実施形態において不透明に行われる。古いコンピューティングデバイス１２４上の著作権ライセンスは、一旦グローバルライセンスデータベース１５２または遠隔ライセンスデータベース１４０に渡されると、もはや使用可能ではない。ユーザは、新たなコンピューティングデバイス１２４とともに著作権ライセンスに対する自分らの権利を認証し得、著作権ライセンスを新たなコンピューティングデバイス１２４のローカルライセンスデータベース１３６に不透明に渡すことによって場所を占められた新たなローカルライセンスデータベース１３６を有し得る。
【００２２】
移動システム１７８は、各コンテンツオブジェクトと関連した様々なコンテンツオリジネータ１０２と通信しなくてはならないことがあり得る。さらに、コンテンツライセンスは、新たなコンピューティングデバイス１２４のＤＲＭに対するフォーマットに翻訳され得る。一部の場合において、ローカルライセンスデータベース１３６のコンテンツは、転送されないが、ライセンスの縮約されたリスティングが、転送され得る。コンテンツオリジネータ１０２は、各ユーザのコンテンツライセンスを追跡し得、移動システム１７８は、移動が起こるときにコンテンツオリジネータ１０２をアップデートし得る。
【００２３】
コンテンツプレーヤ１２８または別のアプリケーションは、グローバルライセンスデータベース１５２に、不透明な形式でライセンスを渡し、該グローバルライセンスデータベースは、古いローカルライセンスデータベース１３６−１と新たなローカルライセンスデータベース１３６−２との間の媒介として機能する。ライセンスは、グローバルライセンスデータベース１５２に対して不透明であり得、または、あり得ない。ライセンス情報が不透明に保持される場合に、新たなコンピューティングデバイス１２４−２のコンテンツプレーヤ１２８−２のみが、ライセンスの復号および再活動化のやり方を理解する。パブリックまたはプライベートのキーイングは、移送の間にコンテンツライセンスを暗号化する様々な実施形態において用いられ得る。
【００２４】
新たなコンピューティングデバイス１２４−２に移送されたコンテンツは、次いで、コンテンツトランスコーダ１６４によるあらゆる再フォーマッティングの後にプレイされ得る。この実施形態において、コンテンツトランスコーダは、新たなコンピューティングデバイス１２４−２にあるが、他の実施形態において、古いコンピューティングデバイス１２４−１、コンテンツオリジネータ１０２、移動システム１７８または他の場所にあり得る。コンテンツライセンスの送信の後に、古いコンピューティングデバイス１２４−１上のコンテンツオブジェクトは、古いコンピューティングデバイス１２４−１での再生を許可するＤＲＭの検査を通過し得ない。古いコンピューティングデバイス１２４−１上のコンテンツオブジェクトは、削除され得ることによって、さらなる許可のない使用を防止する。一部の実施形態は、料金を支払うことにより、新たなおよび古い両方のコンピューティングデバイス１２４において、ライセンスを維持することを可能にして、コンテンツオブジェクトをプレイする。そのような取決めは、コンテンツオリジネータ１０２によって提供される。
【００２５】
グローバルライセンスデータベース１５２がライセンスに対して不透明ではない場合において、グローバルライセンスデータベース１５２は、様々なコンピューティングデバイス１２４に対するクリアリングハウスとして機能し得る。コンピューティングデバイス１２４上のアプリケーションは、ローカルライセンスデータベースをグローバルライセンスデータベース１５２に不透明に送信し得、ここでは、ライセンスは、プレーンテキストに変換される。異なるライセンスフォーマットを用いる異なるコンテンツプレーヤ１２８は、ライセンスの適切な認証の後に、グローバルライセンスデータベース１５２からのコンテンツライセンスを要求し得る。コンテンツライセンスは、異なるコンテンツプレーヤ１２８のネイティブフォーマットに変換され得、異なるコンテンツプレーヤ１２８に不透明に送信され得る。このようにして、コンテンツライセンスは、互換性のないコンテンツプレーヤ１２８の間において交換され得る。一部の実施形態は、元々ライセンスをユーザ１１２に認可したコンテンツオリジネータ１０２に問い合わせることによって、移動の前にリアセンスを確認し得る。
【００２６】
一部の場合において、新たなコンピューティングデバイス１２４および／またはコンテンツプレーヤ１２８は、コンテンツオブジェクトの古いフォーマットを理解しないことがあり得る。変換アプリケーションまたはコンテンツトランスコーダ１６４は、コンテンツオブジェクトをトランスコードすることによって、該コンテンツオブジェクトが、新たなコンピューティングデバイス１２４および／またはコンテンツプレーヤ１２８と互換性を有することを可能にする。変換アプリケーションは、コンテンツ配布システム１００内のいずれの場所に、例えば、コンテンツプロバイダ１０８、グローバルライセンスデータベース１５２またはコンピューティングデバイス１２４など（この実施形態において）においても配置され得る。
【００２７】
一部の実施形態は、古いコンテンツオブジェクトの破棄およびライセンスが有効であるという検証の後に、新たなフォーマットでコンテンツプロバイダ１０８から、コンテンツオブジェクトをダウンロードし得る。新たなフォーマットのダウンロードのための、追加の料金があり得、ないこともあり得る。置換コンテンツライセンスは、新たなフォーマットのコンテンツオブジェクトと共に含まれ得る。
【００２８】
一実施形態において、コンピューティングデバイス１２４−１は、実際にはライセンスを新たなコンピューティングデバイス１２４−２に移送せず、ローカルライセンスデータベース１３６−１におけるライセンスを破棄し、該破棄を遠隔またはグローバルライセンスデータベース１４０、１５２に報告するのみである。一度破棄されると、新たなコンピューティングデバイス１２４−２は、コンピューティングデバイス１２４−２および／またはコンテンツプレーヤ１２８−２と互換性のあるあらゆるフォーマットでコンテンツライセンスを受信し得る。ローカルコンテンツデータベース１３６−１のコンテンツは、既に遠隔またはグローバルライセンスデータベース１４０、１５２に既知であり得、その結果として、破棄のみが通信される必要があり、それらのコンテンツライセンスは、新たなコンテンツプレーヤ１２８−２に対して利用可能となる。
【００２９】
一実施形態は、取外し可能なストレージ媒体（例えば、磁気ディスク、光学ディスク、フラッシュメディア、ハードドライブ、光学的読取り可能媒体）を用いることによって、コンテンツライセンスを新たなローカルライセンスデータベース１３６に移送する。取外し可能なストレージ媒体は、不透明な形式でコンテンツライセンスを用いてロードされ得る。新たなコンピューティングデバイス１２４は、コンテンツライセンスをロードし、別のコンピューティングデバイス１２４においてコンテンツライセンスをロードする能力を破棄し得る。例えば、コンテンツライセンスは消去され得る。別の実施形態は、新たなローカルライセンスデータベース１３６−２にコンテンツライセンスを読み取る前に遠隔の信頼されたパーティーから認証を要求し得る。遠隔の信頼されたパーティーは、ライセンスによって許可される、一つまたは設定された数のコンピューティングデバイス１２４において、コンテンツライセンスの読取りのみを許可する。コンテンツオブジェクトはまた、取外し可能なストレージ媒体を用いて移送され得る。
【００３０】
新たなコンピューティングデバイス１２４上にコンテンツライセンスをロードする前のライセンスの認証は、明示的または暗示的であり得る。ライセンスが人物または人物のグループに対するものである場合には、パスワードまたは生物測定の認証技術が用いられ得る。暗示的な認証に対しては、コンテンツライセンスは、特定のユーザと結び付けられておらず、コードまたは取外し可能なストレージ媒体の所有と結び付けられている。例えば、パスコードを入力する、または取外し可能なストレージ媒体をコンテンツライセンスとともに有する者はだれであれ、新たなコンピューティングデバイス１２４上にそれらをロードし得る。認証パーティーは、コンテンツライセンスの同時に存在するユーザの数を守らせ得、それによって、別の人物が、自分たちの条件を越えてコンテンツライセンスを使用しようと試みた場合には、アクセスは拒否され得る。例えば、誰かが取外し可能なストレージ媒体を盗んだ場合には、その人物は、コンテンツライセンスが、既に特定の数のコンピューティングデバイス１２４においてロードされていない限り、コンテンツライセンスを使用し得る。
【００３１】
図１Ｂを参照すると、コンテンツ配布システム１００のこの実施形態は、グローバルライセンスデータベース１５２を用いない。新たなコンピューティングデバイス１２４上のコンテンツオブジェクトを使用可能にするために、著作権ライセンスは、コンテンツオリジネータ１０２の遠隔ライセンスデータベース１４０に不透明に送り返される。あるいは、実際にコンテンツライセンスを送り返すことなく、ライセンスは、コンテンツオリジネータ１０２においてルックアップされ得る。一部の場合において、ユーザ１１２は、いくつかのコンテンツプロバイダ１０８からコンテンツオブジェクトをダウンロードできた。それは、いくつかの対応する遠隔ライセンスデータベース１４０が、新たなコンピューティングデバイス１２４に移動する際に用いられ得るように行われた。
【００３２】
著作権ライセンスは、ユーザ１１２の適切な認証の後に、遠隔ライセンスデータベース１４０から新たなコンピューティングデバイス１２４に不透明にダウンロードされ得る。あるいは、コンテンツオブジェクトは、コンテンツトランスコーダ１６４を用いて、新たなコンテンツプレーヤのために再フォーマットされ得る。トランスコーディングの代わりに、コンテンツオリジネータ１０２は、以前に新たなフォーマットに符号化され、新たなコンピューティングデバイス１２４にロードする準備のできたコンテンツオブジェクトを有し得る。新たなコンピューティングデバイス１２４−２もまた、新たなフォーマットにコンテンツファイルをトランスコードするために利用可能なコンテンツトランスコーダ１６４−２を有する。
【００３３】
この実施形態は、古いコンピューティングデバイス１２４における認証エンジン１７２を含む。認証エンジン１７２は、コンテンツプレーヤ１２８またはオペレーティングシステムと一体化し得る。ユーザ１１２がアイデンティティを認証すると、ライセンスの転送が承認される。コンテンツオブジェクトは、インターネット１２０または他の一部の接続を介して転送され得る。この実施形態において、古いコンピューティングデバイス１２４−１は、パーソナルコンピュータであり、新たなコンピューティングデバイス１２４−２は、ハンドヘルドフォンである。ユーザ１１２は、ハンドヘルドフォンをパーソナルコンピュータに、ＢｌｕｅｔｏｏｔｈＴＭまたはＵＳＢケーブルを用いて接続し得ることによって、コンテンツオブジェクトおよびコンテンツライセンスを転送する。
【００３４】
次に図１Ｃを参照すると、コンテンツ配布システム１００−３の別の実施形態のブロック図が示される。この実施形態は、移動システム１７８を含み、該システムは、グローバルライセンスデータベース１５２、コンテンツトランスコーダ１６４、認証エンジン１７２およびグローバルコンテンツストア１６８を有する。グローバルライセンスデータベース１５２は、コンテンツライセンスを転送するときに、それらを保持するために用いられ得る。同様に、コンテンツオブジェクトは、新たなコンピューティングデバイス１２４−２にロードする前に、グローバルコンテンツストア１６８に格納され得る。コンテンツオブジェクトのあらゆる再フォーマッティングが、コンテンツトランスコーダ１６４において行われる。ユーザおよびコンテンツライセンスの認証は、認証エンジン１７２によって行われ得る。
【００３５】
図１Ｄを参照すると、コンテンツ配布システム１００−４のさらに別の実施形態のブロック図が示される。この実施形態において、コンテンツライセンスは、あらゆるコンピューティングデバイス１２４にアクセス可能な方法でグローバルライセンスデータベース１５２に格納され得る。コンピューティングデバイス１２４および／またはグローバルライセンスデータベース１５２が納得するように、ユーザ１１２がアイデンティティを認証する場合には、コンテンツプレーヤ１２８は、コンピューティングデバイス１２４上でのコンテンツオブジェクトの再生を許可する。コンテンツライセンスは、コンピューティングデバイス１２４に対して局所的には格納されない。コンテンツライセンスは、コンテンツオブジェクトをプレイする前に、必要に応じて検証される。
【００３６】
別の実施形態は、グローバルライセンスデータベース１５２におけるライセンスの格納を可能にし、これは、個別のライセンスまたはライセンスのグループが、コンピューティングデバイス１２４に対してチェックアウトされることが可能なやり方でなされる。ユーザ１１２の認証の後に、再生のために要求されたコンテンツに対応するコンテンツライセンスは、使用を許可するためにチェックアウトされる。ユーザ１１２は、手動でライセンスをチェックインし得、またはライセンスは、再びチェックアウトされない限り、一定期間の後に自動的にチェックインされる。
【００３７】
この実施形態において、コンテンツオリジネータ１０２は、どのライセンスがユーザ１１２に発行されたかということは追跡しない。コンテンツオリジネータ１０２は、グローバルライセンスデータベース１５２に依存する。コンテンツオブジェクトが許可されると、コンテンツライセンスは、グローバルライセンスデータベースに書き込まれ得、ここでは、コンテンツライセンスは、要求があり次第、コンテンツプロバイダ１０２およびコンピューティングデバイス１２４にアクセス可能である。
【００３８】
次に図１Ｅを参照すると、コンテンツ配布システム１００−５のさらに別の実施形態のブロック図が示される。この実施形態において、コンテンツオブジェクトは、コンピューティングデバイス１２４に格納されていない。コンテンツオブジェクトは、グローバルコンテンツストア１６８に格納されている。適切な認証１７２と同時に、受信者１１２は、あらゆるタイプのコンテンツプレーヤを用いて、あらゆるコンピューティングデバイス１２４上のコンテンツオブジェクトを認識し得る。ＤＲＭはまだ、コンピューティングデバイスによって供給されているが、ライセンスおよびコンテンツオブジェクトは、移動システム１７８および／またはコンテンツプロバイダ１０２に格納されている。
【００３９】
コンテンツプレーヤ１２８は、必要に応じて、コンテンツオブジェクトおよびライセンスを、移動システム１７８またはコンテンツオリジネータ１０２のいずれかからチェックアウトし得る。ライセンスおよびコンテンツオブジェクトは、チェックインされ戻されるか、単に、一定期間の後に満了するように設定され得る。受信者１１２は、いくつかのコンピューティングデバイスの間でのコンテンツオブジェクトの移送可能性を有する能力に対して料金を請求され得る。用いられ得るコンピューティングデバイスの数は、限定され得る。一部の実施形態は、同一のコンテンツオブジェクトの同時に起こる使用を防止し得、または一度に一台より多いコンピューティングデバイスによる移動システムの使用を防止し得る。
【００４０】
コンテンツオブジェクトがプレイされる回数は、追跡され得、人気を測るために報告される。一部の実施形態は、コンテンツオブジェクトの進行の中にコマーシャルを挿入し得る。それらのコマーシャルに対する印象もまた、報告され得る。
【００４１】
図１Ｆを参照すると、コンテンツ配布システム１００−６の一実施形態のブロック図が示される。この実施形態において、移動システム１７８は、新たなコンピューティングデバイス１２４への移行の間に用いられる。コンテンツトランスコーディング、コンテンツライセンスの格納、および認証は、移動システム１７８によって行われる。ユーザ１１２は、このサービスに対する支払いを行い得る。一実施形態において、新たなコンピューティングデバイス１２４の売り手または製造業者は、この費用に対して補助金を支払うか、または支払いを行う。
【００４２】
次に図１Ｇを参照すると、コンテンツ配布システム１００−７の一実施形態のブロック図が示される。この実施形態において、コンテンツオリジネータ１０２は、コンテンツライセンスを認証するために用いられ得、または移動システム１７８を用いることなく、新たなコンピューティングデバイス１２４にコンテンツオブジェクトを移動させるために用いられ得る。例えば、コンテンツプロバイダ１０２は、利用可能な場所において用いられ得るが、移動システム１７８は、コンテンツオリジネータ１０２が発見され得ない、またはライセンスの履歴を有さない場所において用いられ得る。これは、電子的な配信が何も存在せず、有形の形式（例えば、ディスクまたはテープ）において届けられたコンテンツオブジェクトに対して起こり得る。
【００４３】
図２Ａを参照すると、新たなコンテンツプレーヤ１２４−２に許可されたコンテンツを移動させるプロセス２００−１の実施形態の流れ図が示される。ユーザがブロック２０４においてプロセスを開始した後は、プロセス２００−１は、大部分において自動的となり得る。ユーザは、さらにブロック２０４において、手動で自分自身を認証する。認証は、ライセンスコードおよび／またはログイン情報の入力を含み得る。認証情報は、古い、または新たなコンピューティングデバイス１２４のいずれかを介して入力され得る。新たなプレーヤは、ステップ２０８において手動で識別される。コンテンツオブジェクトは、ブロック２１２において、自動的に新たなコンピューティングデバイスに転送される。一部の実施形態は、一つのローカルコンテンツストア１６０から別のローカルコンテンツストアへと直接にコンテンツオブジェクトを移動するが、他の実施形態は、遠隔またはグローバルコンテンツストア１５６、１６８を、古いおよび新たなローカルコンテンツストア１６０の間の中間地点として用いる。
【００４４】
ブロック２１６において、あらゆるトランスコーディングまたはコンテンツオブジェクトの交換が行われる。一部の実施形態は、コンテンツオブジェクトをトランスコードし、一方で、他の実施形態は、既に適切にコピーされたコンテンツオブジェクトの別のコピーを取得する。様々な実施系形態において、トランスコーディングは、コンピューティングデバイス１２４、移動システム１７８またはコンテンツオリジネータ１０２のいずれかにおいて行われ得る。また、ブロック２１６において、コンテンツオブジェクトは、目標のコンピューティングデバイス１２４−２にロードされる。
【００４５】
この実施形態は、ユーザが、ブロック２１８において決定されたコンテンツオブジェクトに対する自分のライセンスをアップグレードすることを可能にする。ライセンスをアップグレードすることは、いくつかのコンテンツオリジネータ１０２を関係させ得、移動システム１７８によって管理され得る。コンテンツオブジェクトを同時に二つのコンピューティングデバイス１２４上に存在させることを可能にする二つのコンピューティングデバイス１２４のライセンスにアップグレードするオプションが存在し得る。別のオプションは、さらに多くのコンピューティングデバイス１２４または制限のない数のコンピューティングデバイス１２４を可能にし得る。アップグレードされたライセンスがある場合には、処理は、ブロック２２０および２２４を越えてステップ２２８にスキップする。
【００４６】
ライセンスのアップグレードがない場合には、処理は、ブロック２１８からブロック２２０に進み、ここでは、コンテンツライセンスは、移動システム１７８に不透明にアップロードされることによって、遮断または復号化の発生を防止する。暗号化は、このプロセスにおいて用いられ得る。移動システム１７８は、コンテンツライセンスが進められる前にそれを復号化することができ、またはできないかもしれない。いずれかの場所において、コンテンツライセンスは、新たなコンテンツプレーヤ１２８−２およびＤＲＭのために再フォーマットされる。ブロック２２４において、古いコンピューティングデバイス１２４−１上のコンテンツライセンスおよびコンテンツオブジェクトは、抑止または破棄される。
【００４７】
ブロック２２８において、コンテンツライセンスは、送信され、新たなコンピューティングデバイスにおいてロードされる。移送は、遮断を防止するために、再び不透明であり得る。プロセス２００−１のこの点において、コンテンツファイルおよびライセンスは、新たなコンピューティングデバイス１２４−２に記録され、その結果として、それらは、新たなコンテンツプレーヤ１２８−２の完全なＤＲＭサポートを伴った、使用に対して利用可能となる。このプロセスは、必要が生じる度に新たなコンテンツプレーヤに対して繰り返され得、その結果として、この実施形態において、ユーザは、ライセンスの卸売りの再購入を避け得る。
【００４８】
次に図２Ｂを参照すると、新たなコンテンツプレーヤ１２４−２に許可されたコンテンツを移動させ、プロセス２００−２の別の実施形態の流れ図が示される。この実施形態は、ブロック２１８およびブロック２２０を新たなブロック２２２と置換する。コンテンツオブジェクトがロードされた後に、コンテンツライセンスまたはそのインジケータは、移動システム１７８に送信される。インジケータは、単に、コンテンツオリジネータ１０２に対するアカウントインジケータであり得る。移動システム１７８は、コンテンツオリジネータ１０２に行くことによって、識別されるアカウントに関連した全てのコンテンツライセンスを取得し得る。この実施形態は、コンテンツライセンスをアップグレードすることを許可せず、ブロック２２８および２３２を完了する前に、全ての場合においてブロック２２４を行い、これは図２Ａの実施形態にある通りである。
【００４９】
図２Ｃを参照すると、新たなコンテンツプレーヤ１２４−２に許可されたコンテンツを移動させるプロセス２００−３のさらに別の実施形態の流れ図が示される。この実施形態は、図２Ｂの実施形態とは、ブロック２１２および２１６が、ブロック２１４および２１５によって置換されるという点において異なる。ブロック２１４において、コンテンツオブジェクトは、移動システム１７８に識別される。これらのコンテンツオブジェクトの新たなバージョンは、ブロック２１５において取得され、あらゆるトランスコーディングを行うのではなく、新たなコンピューティングデバイス１２４にロードされる。
【００５０】
開示された実施形態の多くの変化形および修正版もまた、用いられ得る。例えば、上記実施形態は、オーディオおよびビデオに対するライセンス交換を用いて議論しているが、他の実施形態は、そのようには制限されない。ＤＲＭを有するあらゆるコンテンツオブジェクトが、異なるＤＲＭを有する新たなプログラムと交換され得る。例えば、ソフトウェアまたはデータが、実施形態から利益を得られ得る。
【００５１】
特定の詳細が、上記の実施形態に付与されることによって、実施形態を完全に理解することが可能となる。しかし、実施形態は、これらの特定の詳細なく実施され得るということを理解されたい。例えば、回路が、ブロック図において示され得、これは、不必要な詳細によって実施形態を解しがたいものにしないためである。他の場合において、周知の回路、プロセス、アルゴリズム、構造および技術が、不必要な詳細なく示され得、これは、実施形態を不明瞭にすることを避けるためである。
【００５２】
また、実施形態は、フローチャート、流れ図、データの流れ図、構造図またはブロック図として描写されたプロセスとして記述され得ることを留意されたい。フローチャートは、動作を一連のプロセスとして記述し得るが、多くの動作は、並行して、または同時に発生しながら行われ得る。加えて、動作の順序は、再配列され得る。プロセスは、その動作が完了すると終了されるが、図面には含まれない付加的なステップを有し得る。プロセスは、方法、機能、手順、サブルーチン、サブプログラムなどに対応し得る。プロセスが機能と対応するときには、その終了は、呼出し機能またはメイン機能に対する機能の復帰に対応する。
【００５３】
さらに、本明細書中に開示されるように、「ストレージ媒体」という用語は、データを格納する一つ以上のデバイスを表し得、これには、読取り専用メモリ（ＲＯＭ）、ランダムアクセスメモリ（ＲＡＭ）、磁気ＲＡＭ、コアメモリ、磁気ディスクストレージ媒体、光学ストレージ媒体、フラッシュメモリデバイスおよび／または情報を格納するための他の機械読取り可能媒体を含む。「機械読取り可能媒体」という用語は、携帯用または固定式ストレージデバイス、光学ストレージデバイス、ワイヤレスチャネル、および／または、命令および／またはデータを格納、包含または実行することが可能な他の様々な媒体を含み、それらには限定されない。
【００５４】
さらに、実施形態は、ハードウェア、ソフトウェア、スクリプト言語、ファームウェア、ミドルウェア、マイクロコード、ハードウェア記述言語、および／またはそれらの組み合わせによって実装され得る。ソフトウェア、ファームウェア、ミドルウェア、スクリプト言語、および／またはマイクロコードにおいて実装されるときには、必要なタスクを行うプログラムコードまたはコードセグメントは、ストレージ媒体のような機械読取り可能な媒体において格納され得る。コードセグメントまたは機械実行が可能な命令は、手順、機能、サブプログラム、プログラム、ルーチン、サブルーチン、モジュール、ソフトウェアパッケージ、スクリプト、クラス、または命令、データ構造、および／またはプログラムステートメントのあらゆる組み合わせを表し得る。コードセグメントは、別のコードセグメントまたはハードウェア回路と結合され得、これは、情報、データ、アーギュメント、パラメータおよび／またはメモリコンテンツを、通過および／または受信することによって行われる。情報、アーギュメント、パラメータ、データなどは、メモリ共有、メッセージ授受、トークン授受、ネットワーク送信などを含むあらゆる適切な手段を介して、授受、フォワードまたは送信され得る。
【００５５】
上述の技術の実装は、様々な手法においてなされ得る。例えば、これらの技術は、ハードウェア、ソフトウェアまたはそれらの組み合わせにおいて実装され得る。ハードウェアの実装のために、プロセッシングユニットは、一つ以上の特定用途用一体型回路（ＡＳＩＣ）、デジタル信号プロセッサ（ＤＳＰ）、デジタル信号プロセッシングデバイス（ＤＳＰＤ）、プログラム可能なロジックデバイス（ＰＬＤ）、フィールドプログラマブルゲートアレイ（ＦＰＧＡ）、プロセッサ、コントローラ、マイクロコントローラ、マイクロプロセッサ、上述の機能を行うように設計された他の電子ユニット、および／またはそれらの組み合わせの中において実装され得る。
【００５６】
ソフトウェアの実装のために、本明細書中に記述された技術、プロセスおよび機能は、本明細書中に記述された機能を行うモジュール（例えば、手順、機能など）を用いて実装され得る。ソフトウェアコードは、メモリユニットに格納され得、プロセッサによって実行され得る。メモリユニットは、プロセッサ内またはプロセッサの外部に実装され得、外部に実装される場合には、メモリユニットは、様々な公知の技術を用いて、プロセッサと通信可能なように結合され得る。
【００５７】
開示の信念が、特定の装置および方法と関連して上述されているが、この記述は、例示の目的にのみなされ、開示の範囲を限定するものではないことを明確に理解されたい。
【図面の簡単な説明】
【００５８】
【図１Ａ】図１Ａは、コンテンツ配布システムの実施形態のブロック図を描写する。
【図１Ｂ】図１Ｂは、コンテンツ配布システムの実施形態のブロック図を描写する。
【図１Ｃ】図１Ｃは、コンテンツ配布システムの実施形態のブロック図を描写する。
【図１Ｄ】図１Ｄは、コンテンツ配布システムの実施形態のブロック図を描写する。
【図１Ｅ】図１Ｅは、コンテンツ配布システムの実施形態のブロック図を描写する。
【図１Ｆ】図１Ｆは、コンテンツ配布システムの実施形態のブロック図を描写する。
【図１Ｇ】図１Ｇは、コンテンツ配布システムの実施形態のブロック図を描写する。
【図２Ａ】図２Ａは、新たなコンテンツプレーヤに許可されたコンテンツを移動させるプロセスの実施形態のフローチャートを例示する。
【図２Ｂ】図２Ｂは、新たなコンテンツプレーヤに許可されたコンテンツを移動させるプロセスの実施形態のフローチャートを例示する。
【図２Ｃ】図２Ｃは、新たなコンテンツプレーヤに許可されたコンテンツを移動させるプロセスの実施形態のフローチャートを例示する。
【図１Ａ】
2008537812.tif 000003
【図１Ｂ】
2008537812.tif 000004
【図１Ｃ】
2008537812.tif 000005
【図１Ｄ】
2008537812.tif 000006
【図１Ｅ】
2008537812.tif 000007
【図１Ｆ】
2008537812.tif 000008
【図１Ｇ】
2008537812.tif 000009
【図２Ａ】
2008537812.tif 000010
【図２Ｂ】
2008537812.tif 000011
【図２Ｃ】
2008537812.tif 000012